(57)【特許請求の範囲】
【請求項１】
玄関子機と居室親機がデジタル回線を用いて通信されるインターホンシステムにおいて、
前記居室親機に、
前記玄関子機との間で音声パケットを送受信するパケット送受信部と、
前記玄関子機から受信した前記音声パケットを格納するジッタバッファと、
前記ジッタバッファに格納された前記音声パケットの有音無音を検出する検出部と、
前記居室親機の受話状態を居住者に知らせる報知部と、
前記検出部の検出結果に基づいて前記居室親機の受話状態を判断し、判断された受話状態に応じて前記報知部を制御する制御部と、を備え、
前記制御部は、前記居室親機の受話状態を前記ジッタバッファから有音の前記音声パケットが出力されている第１の状態と、前記ジッタバッファから有音の前記音声パケットが出力されていないが前記ジッタバッファ内に有音の前記音声パケットが検出されている第２の状態とに区別し、前記報知部を第１及び第２の状態に応じて異なる態様で動作させることを特徴とするインターホンシステム。
【請求項２】
前記報知部は表示灯を含み、前記制御部は前記第１の状態で表示灯を点灯し、前記第２の状態で表示灯を点滅させることを特徴とする請求項１に記載のインターホンシステム。
【請求項３】
前記音声パケットは、
前記玄関子機で集音され生成されたデジタル音声情報と、
前記デジタル音声情報の有音無音を区別するための識別情報と、
を含むことを特徴とする請求項１または２に記載のインターホンシステム。
【請求項４】
前記検出部は、前記玄関子機から受信した前記音声パケット中の前記識別情報に基づいて有音無音を検出することを特徴とする請求項３に記載のインターホンシステム。
【発明の詳細な説明】
【技術分野】
【０００１】
本発明は、受話表示機能を備えたインターホンシステムに関するものである。
【背景技術】
【０００２】
インターホンシステムを介した通話は、人と人とが対面して会話する時と異なり互いの状況を音声以外から把握することが難しい。特に受話器を持たないハンズフリー方式のインターホンはその構造上同時通話(ダブルトーク)時には、必要に応じて送話信号又は受話信号を必要量だけに抑圧するため、話者が交互に話さないと声が途切れてしまうことがある。従って、話者の発話タイミングの把握はスムーズなインターホンでの会話に役立つ。
【０００３】
特許文献１のインターホンシステムは、モニタテレビ付きインターホン（親機）とカメラ付きドアホン（子機）が通信状態の場合には通話表示灯を点灯させ、インターホン通話状態であることを容易に視認できるようにしている。これにより、来訪者との通話が可能な状態であることをモニタテレビが稼働していない場合であっても居住者が視認により把握できるとともに、会話終了後にインターホンシステムが通話状態のまま放置されることを防止することもできる。
【先行技術文献】
【特許文献】
【０００４】
【特許文献１】特開平１１−２３９３４４号公報
【発明の概要】
【発明が解決しようとする課題】
【０００５】
しかし、デジタル回線を使用してパケットを転送するインターホンシステムは、パケット通信のジッタ（揺らぎ）を抑えるために音声パケットをジッタバッファに蓄積し出力されるので、その特性等から音声が実際に聞こえるまでに音声遅延を伴う。遅延して出力される音声に従ってインターホン通話を進めた場合、ダブルトーク状態に陥りスムーズな会話ができない状態が発生しうる。この状態は、インターホンシステムが通話状態にあるかどうかとの表示だけで把握することはできない。
【０００６】
そこで、本発明の目的は、玄関子機側とのインターホン通話に音声遅延が発生しやすいデジタルインターホンシステムにおいて、居室親機側で玄関子機側からの音声発話の状態を確認できるようにすることで、居室親機側の話者が適正な発話タイミングを容易に把握できる環境を構築することにある。
【課題を解決するための手段】
【０００７】
上記課題を解決するために、本発明は次のようなインターホンシステムを提供する。（１）玄関子機と居室親機がデジタル回線を用いて通信されるインターホンシステムにおいて、居室親機に、玄関子機との間で音声パケットを送受信するパケット送受信部と、玄関子機から受信した音声パケットを格納するジッタバッファと、ジッタバッファに格納された音声パケットの有音無音を検出する検出部と、居室親機の受話状態を居住者に知らせる報知部と、検出部の検出結果に基づいて居室親機の受話状態を判断し、判断された受話状態に応じて報知部を制御する制御部と、を備えたことを特徴とするインターホンシステム。
【０００８】
（２）制御部は、居室親機の受話状態をジッタバッファから有音の音声パケットが出力されている第１の状態と、ジッタバッファから有音の音声パケットが出力されていないがジッタバッファ内に有音の音声パケットが検出されている第２の状態とに区別し、報知部を第１及び第２の状態に応じて異なる態様で動作させることを特徴とする上記（１）に記載のインターホンシステム。
【０００９】
（３）報知部は表示灯を含み、制御部は第１の状態で表示灯を点灯し、第２の状態で表示灯を点滅させることを特徴とする上記（１）及び（２）に記載のインターホンシステム。
【００１０】
（４）音声パケットは、玄関子機で集音され生成されたデジタル音声情報と、デジタル音声情報の有音無音を区別するための識別情報と、を含むことを特徴とする上記（１）〜（３）に記載のインターホンシステム。
【００１１】
（５）検出部は、玄関子機から受信した音声パケット中の識別情報に基づいて有音無音を検出することを特徴とする上記（４）に記載のインターホンシステム。
【発明の効果】
【００１２】
本発明のインターホンシステムによれば、ジッタバッファに格納された音声パケットの有音無音を検出しその結果に基づき受話状態を判断し、状況に応じた居室親機の受話状態を居住者に知らせることから、居室親機側で実際に玄関子機からの音声が出力されている時だけでなく音声遅延が発生している場合であっても、玄関子機側からの音声が近く出力されることを居室親機側に報知することができるので、居室親機側の話者がダブルトーク状態を回避することができ、スムーズな通話を実現することができる。
【図面の簡単な説明】
【００１３】
【図１】図１は、本発明の一実施形態を示すインターホンシステム１の構成を示すブロック図である。
【図２】図２は、居室親機を示すモデル図である。
【図３】図３は、玄関子機の通信処理部及び音声データ処理部の構成を示すモデル図である。
【図４】図４は、居室親機の音声データ処理部の構成を示すブロック図である。
【図５】図５（ａ）は、パケット処理部の音声パケットの処理を示すフローチャートである。図５（ｂ）音声データ処理部での音声パケットの有音無音の判定処理を示すフローチャートである。
【図６】図６は、音声データ処理部での音声パケットの有音無音の判定と受話状態表示灯の動作を時間の流れとともに表した模式図である。
【図７】図７は、図６に引き続き、音声データ処理部での音声パケットの有音無音の判定と受話状態表示灯の動作を時間の流れとともに表した模式図である。
【００１４】
以下、本発明の一実施形態を図面に基づいて説明する。図１に示すインターホンシステム１は、玄関子機２と、居室親機３とから構成されている。
【００１５】
玄関子機２は、住戸の玄関に設けられ、居室親機３を呼び出すための操作部２２、カメラ２１、スピーカ２３、マイク２４を装備している。また、音声データのアナログ／デジタル変換をするＣＯＤＥＣ２５、集音された音声データの調整を行う音声データ処理部２６、  玄関子機全体の動作を制御するＣＰＵ２７、映像データの処理をする映像データ処理部２８、パケットの制御を行うとともに居室親機３との通信を行う通信処理部２９を備えている。
【００１６】
居室親機３は、住戸の居室内に設置され、図１及び２に示すように、受話状態表示灯３０、モニタ３１、操作部３２、スピーカ３３、マイク３４を装備している。また、音声データのアナログ／デジタル変換をするＣＯＤＥＣ３５、集音された音声データの調整を行う音声データ処理部３６、  居室親機全体の動作を制御するＣＰＵ３７、映像データの処理をする映像データ処理部３８、パケットの制御を行うとともに玄関子機２との通信を行う通信処理部３９を備えている。受話状態表示灯３０はＬＥＤによる表示灯であるが、居室親機３の受話状態を表すことができればいいので、例えば、受話状態を説明する内容をモニタ３１に表示し代用してもよい。
【００１７】
図３に示すように、玄関子機２の音声データ処理部２６は、ＣＯＤＥＣ２５や居室親機３側から入力される音声データのノイズリダクションやエコーキャンセリング等の調整及びデータの圧縮伸張等の制御をする音声制御部２６１と、マイク２４により集音された音声データに音が含まれているかどうかの有音無音情報を検知しデータ化する音声検知部２６２を備えている（以下、有音無音情報を「ＶＡＤ情報」という（ＶＡＤ＝ｖｏｉｃｅ  ａｃｔｉｖｉｔｙ  ｄｅｔｅｃｔｉｏｎ）。）。
【００１８】
音声制御部２６１において調整された音声データは必要に応じて情報量の圧縮がなされる。また、音声検知部２６２での有音無音の検知・判定は、パケット化されるデータ長毎に実施され（例えば、２０ｍ／ｓｅｃ毎）、ＶＡＤ情報が符号化される。
【００１９】
圧縮された音声データは符号化されたＶＡＤ情報とともに通信処理部２９に出力され、データのヘッダーにＶＡＤ情報が付加された上でパケット化され、システムで規定されたプロトコルに準じて居室親機３へ送出される。
【００２０】
図４に示すように、通信処理部３９は、パケットの送受信を行うパケット送受信部３９１と、送受信したパケットを処理するパケット処理部３９２を備えている。玄関子機２側から受信したパケットはパケット送受信部３９１からパケット処理部３９２に出力される。
【００２１】
音声データ処理部３６は、音声データを格納するジッタバッファ３６１と、ＶＡＤ情報を格納するＶＡＤバッファ３６３、ＣＯＤＥＣ３５やジッタバッファ３６１より入力された音声データのノイズリダクションやエコーキャンセリング等の調整及びデータの圧縮伸張等の制御をする音声制御部３６２と、ＶＡＤバッファ３６３より出力されたＶＡＤ情報及び音声制御部３６２の音声出力情報から居室親機３側での受話状態を検知する音声検知部３６４と、音声検知部３６４での判定に従って受話表示灯３０を制御する表示灯制御部３６５を備える。
【００２２】
パケット処理部３９２は、パケット送受信部３９１から受信したパケットが映像パケットの場合、その映像データを映像データ処理部３８に出力する。一方、音声パケットの場合は、その音声パケットを音声データ処理部３６に出力する。
【００２３】
図５（ａ）のフローチャートに示すように、音声データ処理部３６は、パケット処理部３９２より音声パケットを取得し（Ｓ１）、ジッタバッファ３６１に格納する（Ｓ２）。
【００２４】
ジッタバッファ３６１には、玄関子機２からの伝送路上で発生するパケット損失や順序の入れ替え・遅延等により生じた音声パケットのバラつきを抑えるべく音声パケットが一時的に格納・保存される。そのジッタバッファ長は、伝送路の状況に応じて変更することができるが、許容量を大きくすることはそれだけ音声パケットが貯め置かれる時間が長くなることから自ずと音声遅延も長くなる。また、ジッタバッファ長は、伝送路の状況に応じて動的に変更することも可能である。
【００２５】
音声データ処理部３６は、パケット処理部３９２より、音声パケットに付されたＶＡＤ情報も取得し（Ｓ３）、ＶＡＤバッファ３６３に格納する（Ｓ４）。ジッタバッファ３６１及びＶＡＤバッファ３６３に格納された音声パケット及びＶＡＤ情報は連動しており、ジッタバッファ３６１から音声制御部３６２へ音声パケットが出力されると（Ｓ５）、ＶＡＤバッファ３６３からも音声検知部３６４へＶＡＤ情報が出力される（Ｓ６）。
【００２６】
図５（ｂ）のフローチャートに示すように、音声検知部３６４はパケット処理部３９２よりＶＡＤ情報を取得する（Ｓ７）。そして、取得したＶＡＤ情報よりジッタバッファ３６１から出力された音声パケットが有音か無音かを検知する（Ｓ８）。
【００２７】
出力された音声パケットが有音であることを検出した場合（第１の状態）、実際に居室親機３より音が出力される受話状態であることを示すように、表示灯制御部３６５を通じて、受話状態表示灯３０を点灯させる（Ｓ９）。
【００２８】
一方、出力された音声パケットが無音であることを検知した場合、ジッタバッファ３６１に格納されている音声パケット中に有音パケットが含まれているかどうかが検知される（Ｓ１０）。
【００２９】
ジッタバッファ３６１から有音の音声パケットが出力されていないがジッタバッファ３６１内に有音の音声パケットが検出されている場合（第２の状態）、実際に居室親機３より音が出力されていないものの、既に有音の音声パケットを玄関子機２側から受信しており近く音声が出力される準備状態にあることを示すように、表示灯制御部３６５を通じて、受話状態表示灯３０を点滅させる（Ｓ１１）。
【００３０】
ジッタバッファ３６１から有音の音声パケットが出力されておらずジッタバッファ３６１内にも有音の音声パケットが検出されていない場合（第３の状態）、玄関子機２側からの発話が終わっており居室親機３側が受話状態でないことを示すように、表示灯制御部３６５を通じて、受話状態表示灯３０を消灯させる（Ｓ１２）。
【００３１】
図６及び図７は、実際の通話において、図５のフローチャートに示した音声パケットの有音無音の検知を行った結果、受話状態表示灯３０がどのように動作するのかを、音声パケットの動きとともに経時的に示したものである。なお、図中に示された数字はパケットが送信された順番を示すとともにそれぞれの特定のパケットを示す番号である。また、網掛けのないパケットは有音のパケットと判定されたものであり、網掛けがなされたパケットは無音のパケットであると判定されたものである。さらに、便宜上ジッタバッファ３６１のジッタバッファ長は３パケット分としている。以下、順を追って解説する。
【００３２】
（ａ）  パケット処理部３９２が有音の音声パケット１を受信した。ジッタバッファ３６１からの音声出力は行われておらず、ジッタバッファ３６１に格納している有音のパケットデータがないので、受話状態表示灯３０は消灯している。
【００３３】
（ｂ）  パケット処理部３９２が有音の音声パケット２を受信し、ジッタバッファ３６１は有音の音声パケット１を格納した。ジッタバッファ３６１からの音声出力は行われていないが、ジッタバッファ３６１に格納しているパケットデータに有音のデータが存在するので、受話状態表示灯３０は点滅する。
【００３４】
（ｃ）  パケット処理部３９２には一定時間内に音声パケットが到達しなかった。ジッタバッファ３６１は有音の音声パケット２を格納した。ジッタバッファ３６１からの音声出力は行われていないが、ジッタバッファ３６１に格納しているパケットデータに有音の音声パケット１が存在するので、受話状態表示灯３０は点滅する。
【００３５】
（ｄ）  パケット処理部３９２が有音の音声パケット３を受信した。ジッタバッファ３６１からの音声出力は行われていないが、ジッタバッファ３６１に格納しているパケットデータに有音の音声パケット１及び２が存在するので、受話状態表示灯３０は点滅する。
【００３６】
（ｅ）  パケット処理部３９２が無音の音声パケット４を受信した。ジッタバッファは前記（ｃ）の段階で生じたパケット到達遅延を吸収し有音の音声パケット３を音声パケット２に続けて格納した。ジッタバッファ３６１から有音の音声パケット１の出力が行われているので、受話状態表示灯３０は点灯する。
【００３７】
（ｆ）  パケット処理部３９２が無音の音声パケット５を受信した。ジッタバッファ３６１は無音の音声パケット４を格納した。ジッタバッファ３６１から有音の音声パケット２の出力が行われているので、受話状態表示灯３０は点灯する。
【００３８】
（ｇ）  パケット処理部３９２が有音の音声パケット６を受信した。ジッタバッファ３６１は無音の音声パケット５を格納した。ジッタバッファ３６１から有音の音声パケット３の出力が行われているので、受話状態表示灯３０は点灯する。
【００３９】
（ｈ）  パケット処理部３９２が本来到達すべき音声パケット７に先んじて無音の音声パケット８を受信した。ジッタバッファは有音の音声パケット６を格納した。ジッタバッファ３６１から出力された音声パケット４は無音だが、ジッタバッファ３６１に格納しているパケットデータに有音の音声パケット６が存在するので、受話状態表示灯３０は点滅する。
【００４０】
（ｉ）  パケット処理部３９２が既に受信した音声パケット８より前に受信すべきであった無音の音声パケット７を受信した。ジッタバッファ３６１は無音の音声パケット８を格納した。ジッタバッファ３６１から出力された音声パケット５は無音だが、ジッタバッファ３６１に格納しているパケットデータに有音の音声パケット６が存在するので、受話状態表示灯３０は点滅する。
【００４１】
（ｊ）  パケット処理部３９２が無音の音声パケット９を受信した。ジッタバッファ３６１は無音の音声パケット７を格納するとともに音声パケット７及び音声パケット８の順番を整列させた。ジッタバッファ３６１から有音の音声パケット６の出力が行われているので、受話状態表示灯３０は点灯する。
【００４２】
（ｋ）  パケット処理部３９２が有音の音声パケット１０を受信した。ジッタバッファ３６１は無音の音声パケット９を格納した。ジッタバッファ３６１から出力された音声パケット７は無音で、ジッタバッファ３６１に格納しているパケットデータに有音のデータが存在しないので、受話状態表示灯３０は消灯する。
【００４３】
以上のように上記のインターホンシステム１によれば、居室親機３側の受話状態に基づき、それぞれ上述したように第１の状態（例えば、図６（ｅ）の状態）、第２の状態（例えば、図６（ｂ）の状態）、第３の状態（例えば、図７（ｋ）の状態）毎に受話状態表示灯３０の点灯方法が変化する。従って、居室親機３側の話者が受話状態表示灯３０の表示から適正な発話タイミングを容易に把握でき、ダブルトーク状態を回避することでスムーズな通話を実現することができる。
【００４４】
なお、本発明は、上記実施形態に限定されるものではなく、例えば、以下に例示するように、発明の趣旨を逸脱しない範囲で、その構成を適宜変更して実施することも可能である。
（１）居室親機３の音声データ処理部３６において、入力された音声パケットから有音無音の判定を検知すること。
（２）居室親機３に送話状態表示灯３０１（図示略）を別途設け、居室親機３側の話者が発話する際に点灯させるようにして、受話表示灯３０と連動する表示をさせる構成とすること。これにより、より居室親機３側の話者に発話タイミングを認識させることができる。
（３）上記（２）の内容に加えて、上述した第３の状態において、居室親機３側の話者が発話することができるタイミングであることを報知する構成とすること。これにより、より居室親機３側の話者に発話タイミングを認識させることができる。
【符号の説明】
【００４５】
１  インターホンシステム
２  玄関子機
２１  カメラ
２２  操作部
２３  スピーカ
２４  マイク
２５  ＣＯＤＥＣ
２６  音声データ処理部
２６１  音声制御部
２６２  音声検知部
２７  ＣＰＵ
２８  映像処理部
２９  通信処理部
３  居室親機
３０  受話状態表示灯
３０１  送話状態表示灯
３１  モニタ
３２  操作部
３３  スピーカ
３４  マイク
３５  ＣＯＤＥＣ
３６  音声データ処理部
３６１  ジッタバッファ
３６２  音声制御部
３６３  ＶＡＤバッファ
３６４  音声検知部
３６５  表示灯制御部
３７  ＣＰＵ
３８  映像データ処理部
３９  通信処理部
３９１  パケット送受信部
３９２  パケット処理部
【図１】
0006656975.tif 000002
【図２】
0006656975.tif 000003
【図３】
0006656975.tif 000004
【図４】
0006656975.tif 000005
【図５】
0006656975.tif 000006
【図６】
0006656975.tif 000007
【図７】
0006656975.tif 000008